(57)【要約】【課題】所望の方向以外の方向への光の出射をより抑制することが可能となる光源ユニット及びそれを備える照明器具を提供する。【解決手段】光源ユニットは、ＬＥＤモジュール（光源）６と、ＬＥＤモジュール６から放射された光の配光を制御する反射部材５とを備える。ＬＥＤモジュール６は、複数のＬＥＤ６２が複数列に並ぶように配置されている。反射部材５は、正面から見て前記複数のＬＥＤ６２を複数列の各々の一群のＬＥＤごとに露出させる複数の貫通孔５１０を有する。反射部材５は、一群のＬＥＤ６２のそれぞれから放射された光を正面側へ反射する第１反射面５１１及び第２反射面５１２を有する。反射部材５では、第１反射面５１１と第２反射面５１２とが一群のＬＥＤ６２の並んでいる方向に直交する方向において、互いに対向している。【選択図】図４
2018139206.tif 000002
【特許請求の範囲】
【請求項１】
光源と、前記光源から放射された光の配光を制御する反射部材と、を備え、
前記光源は、複数のＬＥＤを有し、前記複数のＬＥＤが複数列に並ぶように配置されており、
前記反射部材は、正面から見て前記複数のＬＥＤを前記複数列の各々の一群のＬＥＤごとに露出させる複数の貫通孔を有し、
前記反射部材における前記複数の貫通孔の各々の内周面が、前記反射部材の正面側から見て前記内周面の内側にある前記一群のＬＥＤそれぞれから放射された光を正面側へ反射する第１反射面及び第２反射面を有し、
前記第１反射面と前記第２反射面とが前記一群のＬＥＤの並んでいる方向に直交する方向において、互いに対向している、
ことを特徴とする光源ユニット。
【請求項２】
前記第２反射面は、前記一群のＬＥＤから放射されて入射した光を前記第１反射面へ向けて反射するように構成された部位と、
前記一群のＬＥＤから放射されて入射した光を前記反射部材の正面側へ光を前記反射部材５の正面側へ反射するように構成された部位と、を有する、
ことを特徴とする請求項１に記載の光源ユニット。
【請求項３】
前記反射部材は、前記複数の貫通孔の各々の前記内周面が前記一群のＬＥＤと並んでいる方向に交差する第３反射面及び第４反射面を有し、
前記第３反射面及び前記第４反射面は、前記一群のＬＥＤから放射されて入射した光を前記反射部材の正面側へ反射するように構成されている、
ことを特徴とする請求項１又は２に記載の光源ユニット。
【請求項４】
請求項１〜３の何れか一項に記載の光源ユニットと、前記光源ユニットを保持する保持部材と、を備える、
ことを特徴とする照明器具。
【発明の詳細な説明】
【技術分野】
【０００１】
本発明は、光源ユニット及びそれを備える照明器具に関し、より詳細には、複数のＬＥＤを備える光源ユニット及びそれを備える照明器具に関する。
【背景技術】
【０００２】
従来、複数の光源ユニットを備える照明器具が提供されている（例えば、特許文献１）。特許文献１に記載された複数の光源ユニットの各々は、一面に発光面を有する矩形平板状の光源と、光源が搭載される器具本体と、光源の配光を制御する光学部材と、を備える。光源は、マトリクス状に配置された複数のＬＥＤを有する。光学部材は、複数のＬＥＤの配光を列毎に制御する複数列のレンズ部と、レンズ部を連結する連結部と、を有する。レンズ部は、マトリクス状に配置されたＬＥＤの列方向に沿う帯長形状に形成されている。
【０００３】
レンズ部は、ＬＥＤから出射された光が入射する凹溝状の入射部と、入射部と対峙する長尺状の出射部と、入射部及び出射部を接続し且つ入射部から入射した光を全反射する一対の反射部と、を有する。
【先行技術文献】
【特許文献】
【０００４】
【特許文献１】特開２０１６−０５８３２９号公報
【発明の概要】
【発明が解決しようとする課題】
【０００５】
しかしながら、特許文献１の光源ユニットでは、光源から放射されレンズ部の入射部に入射した光の一部が、そのレンズ部の出射部以外の部位（例えば、そのレンズ部に隣り合うレンズ部）から漏れてしまうことがある。このため、特許文献１に記載された光源ユニット及びそれを備える照明器具では、所望の方向以外の方向への光の出射をより抑制することが望まれている。
【０００６】
本発明は、上記事由に鑑みてなされており、所望の方向以外の方向への光の出射をより抑制することが可能な光源ユニット及びそれを備える照明器具を提供することを目的とする。
【課題を解決するための手段】
【０００７】
本発明に係る一態様の光源ユニットは、光源と、前記光源から放射され、光の配光を制御する反射部材と、を備える。前記光源は、複数のＬＥＤを有する。前記光源は、前記複数のＬＥＤが複数列に並ぶように配置されている。前記反射部材は、正面から見て前記複数のＬＥＤを前記複数列の各々の一群のＬＥＤごとに露出させる複数の貫通孔を有する。前記反射部材は、前記反射部材における前記複数の貫通孔の各々の内周面が、前記反射部材の正面側から見て前記内周面の内側にある前記一群のＬＥＤそれぞれから放射された光を正面側へ反射する第１反射面及び第２反射面を有する。前記反射部材は、前記第１反射面と前記第２反射面とが前記一群のＬＥＤの並んでいる方向に直交する方向において、互いに対向している。
【０００８】
本発明に係る一態様の照明器具は、上述の光源ユニットと、前記光源ユニットを保持する保持部材と、を備える。
【発明の効果】
【０００９】
本発明の光源ユニット及びそれを備える照明器具は、所望の方向以外の方向への光の出射をより抑制することが可能となるという効果がある。
【図面の簡単な説明】
【００１０】
【図１】図１は本発明の一実施形態に係る光源ユニットを備える照明器具の正面側から見た斜視図である。
【図２】図２は同上の光源ユニットを備える照明器具の背面側から見た斜視図である。
【図３】図３は同上の光源ユニットの分解斜視図である。
【図４】図４Ａは同上の光源ユニットの要部の平面図である、図４Ｂは同上の光源ユニットの要部を示し、図４ＡのＸ１−Ｘ１線断面図である。
【図５】図５は同上の光源ユニットの光源におけるＬＥＤから放射された光の経路を示す概略図である。
【発明を実施するための形態】
【００１１】
以下、本発明の一実施形態に係る照明器具１０について、図１〜５を参照して説明する。照明器具１０は、例えば、空港のエプロン照明などとして使用される投光器である。このため、照明器具１０は、例えば、空港において、ポールに設けられた取付台に取り付けられて使用される。
【００１２】
照明器具１０は、図１及び図２に示すように、複数（ここでは６つ）の光源ユニット１と、光源ユニット１を互いに連結する連結部材２と、複数の光源ユニット１に電力を供給する電源ユニット３と、を備える。照明器具１０は、複数の光源ユニット１と連結部材２と電源ユニット３とを保持する保持部材４を更に備える。照明器具１０では、一例として、横方向に３つの光源ユニット１、縦方向に２つの光源ユニット１が並んで配置されている。
【００１３】
６つの光源ユニット１の各々は、図３に示すように、ＬＥＤモジュール（光源）６と、ＬＥＤモジュール６で発生した熱を放熱させるための放熱部材７と、を備える。光源ユニット１は、ＬＥＤモジュール６で発生した熱を放熱部材７に効率良く伝えるための熱伝導シート７１と、ＬＥＤモジュール６から放射された光の配光を制御する反射部材５と、を更に備える。光源ユニット１は、反射部材５とＬＥＤモジュール６とを放熱部材７に固定するための固定台８と、反射部材５、固定台８、及びＬＥＤモジュール６を覆うように放熱部材７に取り付けられ、ＬＥＤモジュール６から放射された光を透過するカバー９と、を更に備える。
【００１４】
ＬＥＤモジュール６は、厚さ方向において互いに反対側にある第１面６１１及び第２面６１２を有する基板６１と、基板６１の第１面６１１に実装される複数（ここでは２２個）のＬＥＤ６２（ＬＥＤ：Light Emitting Diode）と、を備える。基板６１は、矩形板状に形成される。基板６１は、例えば、金属ベースプリント配線板である。基板６１の中央には、円形状の挿通孔６３が形成されている。ＬＥＤモジュール６は、基板６１の第１面６１１に実装された一対のコネクタ６４を備える。コネクタ６４には、電源ユニット３に接続された電力ケーブルのコネクタが接続される。
【００１５】
ＬＥＤモジュールでは、複数のＬＥＤ６２が、図３及び図４に示すように、基板６１の第１面６１１上において、複数列（ここでは５列）に分けて配置されている。ＬＥＤモジュール６では、複数列の各々の列において、一群（ここでは、４個又は５個）のＬＥＤ６２が一直線上に並んでいる。ここにおいて、ＬＥＤモジュール６では、複数のＬＥＤ６２が千鳥配置されている。以下では、説明の便宜上、基板６１の厚さ方向に直交し、かつ一群のＬＥＤ６２の並んでいる方向に直交する方向を第１方向Ｌ１とし、基板６１の厚さ方向に直交しかつ第１方向Ｌ１に直交する方向を第２方向Ｌ２として説明する（図３、図４Ａ及び図４Ｂ参照）。
【００１６】
ＬＥＤモジュール６では、複数のＬＥＤ６２のうち一群（４個又は５個）のＬＥＤ６２が第２方向Ｌ２において一直線上に配置される。また、ＬＥＤモジュール６では、第２方向Ｌ２において一直線上に配置された一群のＬＥＤ６２の列が複数列あり、第１方向Ｌ１に並んでいる。複数のＬＥＤ６２の各々の光軸ＯＡ１（図５参照）は、互いに平行である。光軸ＯＡ１は、例えば、基板６１の厚さ方向に一致し、第１方向Ｌ１及び第２方向Ｌ２に直交する。
【００１７】
熱伝導シート７１は、ＬＥＤモジュール６で発生した熱を基板６１から放熱部材７へ効率良く伝導させるための部材である。熱伝導シート７１は、電気絶縁性と熱伝導性とを有する。熱伝導シート７１は、矩形のシート状に形成されている。熱伝導シート７１の中央には、円形状の挿通孔７１１が形成されている。挿通孔７１１の内径は、基板６１の挿通孔６３の内径よりも小さい。熱伝導シート７１の平面サイズは、基板６１の平面サイズより大きいのが好ましい。熱伝導シート７１は、基板６１の第２面６１２と、放熱部材７と、の間に介在するように配置されている。要するに、熱伝導シートは７１、基板６１の第２面６１２及び放熱部材７に接触するように配置されている。熱伝導シート７１は、例えば、エラストマー材料によって形成される。熱伝導シート７１は、例えば、シリコーンゲルシートなどでもよい。また、熱伝導シート７１の材料は、エラストマー材料、シリコーンゲルに限らず、例えばフィラーを含有させたアクリル樹脂などでもよい。
【００１８】
放熱部材７は、図３に示すように、ＬＥＤモジュール６が熱伝導シート７１を介して配置される矩形板状の基台７２と、基台７２に一体に形成される複数の放熱フィン７３と、を備える。放熱部材７の材質は、例えば、アルミニウム合金である。基台７２は、厚さ方向において互いに反対側にある第１面７２１及び第２面７２２を有する。放熱部材７では、基台７２の第１面７２１上に熱伝導シート７１が配置されている。複数の放熱フィン７３は、基台７２の第２面７２２から突出している。
【００１９】
光源ユニット１では、放熱部材７の基台７２に固定台８が取り付けられることによって、固定台８と基台７２との間にＬＥＤモジュール６が保持されている。固定台８は、樹脂（例えば、ポリブチレンテレフタラートなど）によって形成されている。固定台８は、ＬＥＤモジュール６と反射部材５との間に介在する。固定台８は、枠部８１と、フランジ８３と、押え部８４と、梁部８２と、を備える。枠部８１は、ＬＥＤモジュール６の基板６１を全周に亘って囲む矩形の枠状に形成されている。枠部８１は、その周方向に直交する断面形状がＵ字状である。ここにおいて、枠部８１は、その周方向に直交する断面形状に関して、熱伝導シート７１側が開放されたＵ字状である。光源ユニット１では、枠部８１と基台７２との間に熱伝導シート７１の周部が介在する。
【００２０】
フランジ８３は、枠部８１の外周面から外側に向かって突出する。フランジ８３は、四隅の各々に、ねじ挿通部８３１が形成されている。また、固定台８は、枠部８１とフランジ８３とに跨って形成された４つの凹部８３２を有する。４つの凹部８３２は、枠部８１及びフランジ８３の周方向において離れている。４つの凹部８３２は、枠部８１のうち第１方向Ｌ１に平行な２つの第１枠片８１１の各々に２つずつ形成されている。凹部８３２は、後述する反射部材５の脚部５２を収納するように構成されている。
【００２１】
押え部８４は、枠部８１のうち第２方向Ｌ２に平行な２つの第２枠片８１２の各々から、枠部８１の内側に向かって突出する。押え部８４は、基板６１の周部を基台７２上の熱伝導シート７１との間に挟んでいる。
【００２２】
梁部８２は、枠部８１のうち第１方向Ｌ１に平行な２つの第１枠片８１１の中央部同士を繋いでいる。梁部８２は、第２方向Ｌ２を長手方向とする一対の梁８２１と、一対の梁８２１の中央部同士を連絡している連絡片８２０と、を有する。連絡片８２０は、円形状の挿通孔８２２が形成されている。一対の梁８２１のそれぞれは、反射部材５の正面側から見えないように配置される。より詳細には、一対の梁８２１は、反射部材５によって覆われる。連絡片８２０は、連絡片８２０の厚さ方向に突出する一対の突片８２３を有する。一対の突片８２３は、第２方向Ｌ２において挿通孔８２２の両側に１つずつ配置されている。挿通孔８２２は、ＬＥＤモジュール６における基板６１の挿通孔６３と繋がっている。光源ユニット１では、固定台８の挿通孔８２２に挿通されたボルトの軸部がＬＥＤモジュール６における基板６１の挿通孔６３及び熱伝導シート７１の挿通孔７１１を通って基台７２に固定されている。
【００２３】
ＬＥＤモジュール６及び反射部材５などを覆うカバー９は、カバー本体９１と、鍔部９２と、４つの押え板９３と、を備える。カバー本体９１と鍔部９２とは、透光性を有する樹脂材料、例えば、ポリカーボネート樹脂などで、一体に形成されている。カバー本体９１は、一面が開口する矩形箱状に形成されている。鍔部９２は、カバー本体９１の開口する一面の周縁から全周に亘って外向きに突出している。鍔部９２は、矩形の枠状に形成されている。鍔部９２の四隅の各々には、円形状の孔９２１が形成される。鍔部９２には、複数のねじ挿通孔が鍔部９２の周方向において離れて形成されている。カバー９は、カバー本体９１の底壁９１１が複数のＬＥＤ６２と対向するように、放熱部材７に固定されている。
【００２４】
４つの押え板９３の各々は、金属板、例えば、ステンレス鋼板などによって形成されている。４つの押え板９３の各々は、基部９３１と、側部９３２と、を有する。基部９３１と側部９３２とは、一体に形成されている。基部９３１は、長尺の板状に形成される。基部９３１には、長手方向の中央及び両端部のそれぞれにねじ挿通孔が形成されている。側部９３２は、基部９３１の長手方向に沿った一端縁から基部９３１と交差する向きに突出する。４つの押え板９３は、カバー９の鍔部９２に重ねられる。４つの押え板９３の各々のねじ挿通孔には、ねじ９３３が挿通される。ねじ９３３は、鍔部９２のねじ挿通孔を通って基台７２に嵌め込められる。
【００２５】
ＬＥＤモジュール６から放射される光の配光は、反射部材５によって制御される。反射部材５は、図３及び４に示すように、反射部材本体５０と、４つの脚部５２と、を備える。反射部材５は、カバー９が放熱部材７にねじ止めされることで、放熱部材７に取り付けられている。反射部材５の詳細については、後述する。
【００２６】
ところで、照明器具１０では、３つの光源ユニット１が横方向に並んで配置される。また、照明器具１０では、２つの光源ユニット１が縦方向に並んで配置される。言い換えると、照明器具１０では、６つの光源ユニット１がそれぞれ横並びの３つの光源ユニット１に分けて２列に配置されている。
【００２７】
ここにおいて、照明器具１０は、６つの光源ユニット１を互いに連絡するための連結部材２を備える。連結部材２は、図１に示すように、一対の第１連結部材２１と、一対の第２連結部材２２と、を備える。
【００２８】
一対の第１連結部材２１は、横方向に並べられた３つの光源ユニット１を連結している。一対の第１連結部材２１は、金属板、例えば、ステンレス鋼板などによって形成されている。一対の第１連結部材２１は、長尺の基部２１１と、基部２１１の長手方向に沿って基部２１１の厚さ方向に延びる側板２１２と、を有する。基部２１１と側板２１２とは、一体に形成されている。第１連結部材２１の各々の基部２１１には、基部２１１の長手方向において離れた複数のねじ挿通孔が設けられている。一対の第１連結部材２１は、ねじ挿通孔に挿通されたねじが横方向に並んでいる光源ユニット１の各々の放熱部材７にねじ止めされることで、横方向に並べられている３つの光源ユニット１を連結している。
【００２９】
一対の第２連結部材２２は、照明器具１０の横方向の両側で縦方向に並んでいる２つの光源ユニット１を連結している。一対の第２連結部材２２は、金属板、例えば、ステンレス鋼板などによって形成されている。一対の第２連結部材２２の各々は、長尺な板状に形成されている。一対の第２連結部材２２の各々は、長手方向の両端の各々と中央部との間で段を有する。一対の第２連結部材２２の各々は、両端に対して中央部が両端の厚さ方向に突出するように形成されている。一対の第２連結部材２２の各々には、長手方向の両端の各々と中央部にねじ挿通孔が設けられている。一対の第２連結部材２２の各々は、両端の一方が縦方向に並んでいる２つの光源ユニット１のうち上側の光源ユニット１の放熱部材７にねじ止めされ、他方が下側の光源ユニット１の放熱部材７にねじ止めされている。これにより、一対の第２連結部材２２の各々は、縦方向に並べでいる２つの光源ユニット１を連結している。
【００３０】
６つの光源ユニット１に電力を供給する電源ユニット３は、例えば、２つの電源装置３１，３２を備える。電源ユニット３は、外部から引き込まれる電源ケーブル及び６つの光源ユニット１に電気的に接続されている電力ケーブルを接続できるように構成されている。
【００３１】
電源装置３１，３２には、外部電源、例えば商用電源から交流電圧が供給される。電源装置３１，３２は、供給された交流電圧を直流電圧に変換する整流平滑回路、及び整流平滑回路から出力される直流電圧を所定の電圧値の直流電圧に変換するＤＣ−ＤＣコンバータなどを備える。
【００３２】
照明器具１０は、６つの光源ユニット１を保持する保持部材４を更に備える。保持部材４は、空港などにおいて、ポールに設けられた取付台に取り付けられる。保持部材４は、光源ユニット１の向きを変えることができるように構成されている。保持部材４は、図２に示すように、一対の保持部４１と、一対の取付部材４２と、固定板４３と、一対のアーム４４と、目盛部４５と、を備える。
【００３３】
一対の保持部４１の各々は、金属、例えば、ステンレスなどによって形成されている。一対の保持部４１は、照明器具１０の横方向の両端に設けられている。一対の保持部４１は、一対の取付部材４２を第２連結部材２２に連結するために、一対の取付部材４２と第２連結部材２２との間に配置されている。また、一対の保持部４１の各々は、一対のアーム４４のうち一対一に対応するアーム４４を取り付けるためのねじが嵌め合されるねじ孔を備える。
【００３４】
一対の取付部材４２は、金属板、例えば、ステンレス鋼板などよって形成されている。一対の取付部材４２は、長尺な板状に形成されている。一対の取付部材４２には、電源ユニット３がねじ止めされるなどして取り付けられる。
【００３５】
固定板４３は、ポールに設けられた取付台に固定される。固定板４３は、台形の板状に形成されている。固定板４３と一対のアーム４４とは、一体に形成されている。固定板４３の中心部には、ボルトを挿通する円形状の挿通孔４３１が形成されている。固定板４３には、挿通孔４３１を中心とする半円弧状の長孔４３２が形成されている。固定板４３の挿通孔４３１及び長孔４３２のそれぞれには、ボルトが挿通されている。固定板４３は、挿通孔４３１に挿通されているボルトの回りで回転可能である。
【００３６】
一対のアーム４４の先端には、ねじが挿通されるねじ挿通孔４４１が形成されている。一対のアーム４４のねじ挿通孔４４１は、一対の保持部４１のうち一対一に対応する保持部４１のねじ孔に繋がっている。ねじ挿通孔４４１に挿通されたねじは、保持部４１のねじ孔に嵌め合せられる。このように、一対のアーム４４は、一対の保持部４１の各々に保持されている。ねじ挿通孔４４１に挿通されたねじを緩めることで、保持部４１は、ねじの回りで回転可能である。
【００３７】
目盛部４５は、金属板、例えば、ステンレス鋼板などによって形成されている。目盛部４５は、円盤状に形成されている。目盛部４５には、一対のアーム４４の一方に取り付けられる。目盛部４５は、ねじ挿通孔４４１に挿通されるボルトを中心とする角度の目盛が刻印されている。目盛部４５は、アーム４４に対する連結された６つの光源ユニット１を保持部４１のねじ挿通孔４４１のボルトの回りで回転させたときの、基準位置からの回転角度を外部から人が視認できるように構成されている。これにより、照明器具１０では、人が光源ユニット１の傾きを精度良く調節することが可能である。基準位置からの回転角度は、固定板４３に平行な平面（水平面）に対して光源ユニット１の正面方向のなす角度と同じ角度である。
【００３８】
ここで、ＬＥＤモジュール６から放射される光の配光を制御する反射部材５について図３及び４に基づいて説明する。
【００３９】
反射部材５は、各々が一群（４つ又は５つ）のＬＥＤ６２を露出させる複数（５つ）の貫通孔５１０を有する。反射部材５は、樹脂成形体と、この樹脂成形体の表面の一部に設けられた金属膜と、を備える。反射部材５では、金属膜の表面が後述の第１反射面５１１及び第２反射面５１２を含んでいる。金属膜は、例えば、アルミニウム膜である。金属膜は、例えば、蒸着法によって形成されている。複数（５つ）の貫通孔５１０の各々の開口形状は、複数のＬＥＤ６２を露出させるように第２方向Ｌ２を長手方向とする長方形状である。複数の貫通孔５１０は、第１方向Ｌ１において略等間隔で並んでいる。反射部材５は、複数の貫通孔５１０の各々において、それぞれが貫通孔５１０の内周面の一部を構成する第１反射面５１１と第２反射面５１２とを有する。第１反射面５１１と第２反射面５１２とは、第１方向Ｌ１において互いに対向している。ここにおいて、反射部材５は、基板６１の厚さ方向において、基板６１から離れるにつれて、複数の貫通孔５１０の各々の開口面積が大きくなっている。反射部材５は、反射部材本体５０と、脚部５２と、を備えている。反射部材５では、反射部材本体５０が、上述の複数の貫通孔５１０を有している
第１反射面５１１は、第２方向Ｌ２に直交する方向における放物線（以下、「第１放物線」という）を第２方向Ｌ２にスイープすることでできる放物柱面（以下、「第１放物柱面」という）の一部に沿った形状に形成されている。第１方向Ｌ１に沿ってｘ軸、ＬＥＤ６２の光軸ＯＡ１に沿ってｙ軸を規定し、ＬＥＤ６２の光出射面の中心を原点とした直交座標において第１反射面５１１に対応する第１放物柱面を規定するための第１放物線は、ｙ＝ａ1×ｘ2＋ｂ1×ｘ＋ｃ1の数式で表すことができる。この数式において、ａ1，ｂ1，ｃ1は、係数を表す。
【００４０】
第２反射面５１２は、第２方向Ｌ２に直交する方向における放物線（以下、「第２放物線」という）を第２方向Ｌ２にスイープすることでできる放物柱面（以下、「第２放物柱面」という）の一部に沿った形状に形成されている。上述の直交座標において第２反射面５１２に対応する第２放物柱面を規定するための第２放物線は、ｙ＝ａ2×ｘ2＋ｂ2×ｘ＋ｃ2の数式で表すことができる。この数式において、ａ2，ｂ2，ｃ2は、係数を表す。第１反射面５１１に対応する第１放物線と第２反射面５１２に対応する第２放物線とでは、係数ａ1の値と係数ａ2の値とが異なるが、これに限らず、同じでもよい。また、第１放物線と第２放物線とでは、係数ｂ1の値と係数ｂ2の値とが異なるが、これに限らず、同じでもよい。また、第１放物線と第２放物線とでは、係数ｃ1の値と係数ｃ2の値とが異なるが、これに限らず、同じでもよい。第１放物線及び第２放物線のそれぞれの軸は、ＬＥＤ６２の光軸ＯＡ１に対して傾いている。ここにおいて、ａ2＞ａ1である。
【００４１】
反射部材５は、複数の貫通孔５１０の各々の内周面が第１方向Ｌ１に交差する第３反射面５１３及び第４反射面５１４を備える。第３反射面５１３及び第４反射面５１４は、一群のＬＥＤ６２から放射されて入射した光を反射部材５の正面側に反射する。
【００４２】
４つの脚部５２の各々は、固定台８の凹部８３２に嵌め合わされるように構成される。４つの脚部５２は、板状に形成される本体部５２１と、突出部５２２と、を備える。本体部５２１と突出部５２２とは、一体に形成される。本体部５２１は、板状に形成されている。突出部５２２は、本体部５２１の厚さ方向において外向きに突出している。突出部５２２には、ねじが挿通されるねじ挿通部５２３が形成されている。
【００４３】
ここで、ＬＥＤモジュール６のＬＥＤ６２から放射された光の経路について、図５に基づいて説明する。
【００４４】
ＬＥＤ６２から第２反射面５１２に向かって放射された光の経路について説明する。ＬＥＤ６２から第２反射面５１２に向かって放射された光であって、第２反射面５１２の複数の反射面のうちＬＥＤ６２からの距離が相対的に近い部位に入射した光は、当該部位において第１反射面５１１に向かって反射される。この光の経路を図５では点線ＯＰ１で示してある。ＬＥＤ６２から第２反射面５１２に向かって放射された光であって、第２反射面５１２の数の反射面のうちＬＥＤ６２からの距離が相対的に遠い部位に入射した光は、当該部位において反射されて反射部材５の正面側の開口から出射する。この先の経路を図５では二点鎖線ＯＰ３で示してある。要するに、第２反射面５１２は、ＬＥＤ６２から放射されて、ＬＥＤ６２からの距離が相対的に遠い部位に入射した光を反射部材５の正面側に反射する。第２反射面５１２は、上述のようにＬＥＤ６２からの距離が相対的に近い部位と遠い部位とで異なる反射特性を達成するために、上述の第２放物線により規定される第２放物柱面を適宜回転させたり移動させたりしてある。また、反射部材５は、複数（５つ）の第２反射面５１２のうち第１方向Ｌ１の一方の１つの第２反射面５１２の高さを他の４つの第２反射面５１２の高さよりも低くしてあり、上記一方の１つの第２反射面５１２が下側、他方の１つの第２反射面５１２が上側となるように配置されている。つまり、図１に示した光源ユニット１において反射部材５は図示されていないが、図４Ａの反射部材５は、図４Ａの右側が図１の上側、図４Ａの左側が図１の下側となるように配置されている。
【００４５】
ＬＥＤ６２から第１反射面５１１に向かって放射された光の経路について説明する。ＬＥＤ６２から第１反射面５１１に向かって放射された光の経路を図５では破線ＯＰ２で示してある。第１反射面５１１は、ＬＥＤ６２から放射されて入射した光を反射部材５の正面側に反射する。第１反射面５１１は、ＬＥＤ６２からの距離が相対的に近い部位と遠い部位とで異なる反射特性を達成するために、上述の第１放物線により規定される第１放物柱面を適宜回転させたり移動させたりしてある。
【００４６】
ＬＥＤ６２から反射部材５の正面側に向かって放射された光の経路について説明する。ＬＥＤ６２から反射部材５の正面側に向かって放射された光の経路を図５では実線ＯＰ４，ＯＰ５で示してある。ＬＥＤ６２から放射された光の一部は、反射部材５の正面側に向かって出射される。つまり、ＬＥＤ６２から放射された光のうち第１反射面５１１及び第２反射面５１２のいずれにも反射しない光の経路は、第１方向Ｌ１において、実線ＯＰ４及び実線ＯＰ５との間に形成される。これにより、光源ユニット１は、照明対象以外の場所の出射を抑制することが可能となる。
【００４７】
また、光源ユニット１は、ＬＥＤ６２から放射されて第２反射面５１２に入射した光が第１反射面５１１に向けて反射されることで、照射対象以外の場所への光の出射を抑制することが可能となる。
【００４８】
照明器具１０は、図１及び図２に示すように、６つの光源ユニット１を備えているが、これに限らず、少なくとも１つの光源ユニット１を備えていればよく、例えば、２つの光源ユニット１を備えた構成、４つの光源ユニット１を備えた構成などでもよい。
【００４９】
本実施形態の光源ユニット１は、ＬＥＤモジュール（光源）６と、ＬＥＤモジュール６から放射された光の配光を制御する反射部材５とを備える。ＬＥＤモジュール６は、複数のＬＥＤ６２を有する。ＬＥＤモジュール６は、複数のＬＥＤ６２が複数列に並ぶように配置されている。反射部材５は、正面から見て前記複数のＬＥＤ６２を複数列の各々の一群のＬＥＤごとに露出させる複数の貫通孔５１０を有する。反射部材５における複数の貫通孔５１０の各々の内周面が、反射部材５の正面側から見て内周面の内側にある一群のＬＥＤ６２のそれぞれから放射された光を正面側へ反射する第１反射面５１１及び第２反射面５１２を有する。反射部材５では、第１反射面５１１と第２反射面５１２とが一群のＬＥＤ６２の並んでいる方向に直交する方向において、互いに対向している。これにより、光源ユニット１では、所望の方向以外の方向への光の出射をより抑制することが可能となる。
【００５０】
本実施形態の光源ユニット１では、第２反射面５１２は、一群のＬＥＤ６２から放射されて入射した光を第１反射面５１１へ向けて反射するように構成された部位を備えることが好ましい。第２反射面５１２は、一群のＬＥＤ６２から放射されて入射した光を反射部材５の正面側へ反射するように構成される部位を備えることが好ましい。これにより、光源ユニット１では、所望の方向以外の方向への光の出射を更に抑制することが可能となる。
【００５１】
本実施形態の光源ユニット１では、反射部材５は、複数の貫通孔５１０の各々の内周面が一群のＬＥＤ６２と並んでいる方向に交差する第３反射面５１３及び第４反射面５１４を有することが好ましい。第３反射面５１３及び第４反射面５１４は、一群のＬＥＤ６２から放射されて入射した光を反射部材５の正面側へ反射するように構成されていることが好ましい。これにより、光源ユニット１では、所望の方向以外のへ方向への光の出射をより抑制することが可能となる。
【００５２】
本実施形態の照明器具１０は、光源ユニット１と、光源ユニット１を保持する保持部材４と、を備える。これにより、照明器具１０では、所望の方向以外の方向への光の出射をより抑制することが可能となる。
【符号の説明】
【００５３】
１  光源ユニット
１０  照明器具
４  保持部材
５  反射部材
５１０  貫通孔
５１１  第１反射面
５１２  第２反射面
５１３  第３反射面
５１４  第４反射面
６  ＬＥＤモジュール（光源）
６２  ＬＥＤ
ＯＡ１  光軸
ＯＰ１、ＯＰ２  光の経路
【図１】
2018139206.tif 000003
【図２】
2018139206.tif 000004
【図３】
2018139206.tif 000005
【図４】
2018139206.tif 000006
【図５】
2018139206.tif 000007